(57)【特許請求の範囲】
【請求項１】
番組の録画予約を受け付ける録画予約受付手段と、
前記受け付けた録画予約において、録画時刻が少しでも重複する番組が存在する場合は、前記重複する旨を示す画面を表示させ、番組の録画時刻の調整を受け付ける録画時刻調整手段と、
前記録画時刻が少しでも重複する番組が所定期間放送されるシリーズ番組である場合、全ての前記録画時刻が少しでも重複する番組にかかる情報、及びこの番組の調整後の録画時刻を登録する番組登録手段と、
前記登録された番組の次回録画予約時において、登録された前記調整後の録画時刻をもとに録画予約を設定する録画時刻設定手段と、を有することを特徴とする録画装置。
【請求項２】
前記録画予約受付手段は、画面上に表示された電子番組表により録画予約対象の番組を受け付けることを特徴とする請求項１に記載の録画装置。
【請求項３】
前記番組登録手段は、前記電子番組表に記録されているシリーズ記述子をもとに、前記録画時刻が少しでも重複する番組がシリーズ番組であるか否かを判断する、ことを特徴とする請求項２に記載の録画装置。
【請求項４】
前記番組登録手段は、前記シリーズ番組の最終話が録画されたら前記登録を消去することを特徴とする請求項１から請求項３のいずれか一項に記載の録画装置。
【発明の詳細な説明】
【技術分野】
【０００１】
本発明は録画装置に関し、特に、複数の番組を録画予約可能な録画装置に関する。
【背景技術】
【０００２】
従来、ユーザーからの録画予約を受け付け、録画を実行する録画装置が知られている。このような録画装置においては、ユーザーがリモコン装置等により番組の録画予約を入力すると、録画装置は録画時刻を設定し、設定された録画時刻に達すると受信された番組をメディアに記録する。また、番組データーを記録するメディアの記録容量の増加に伴い、一度に予約できる番組の数も増加している。
【０００３】
上記した録画装置において、複数の番組の録画時刻が重複する場合がある。例えば、ＰＭ６：００〜ＰＭ６：３０に放送される番組Ａと、同日のＰＭ６：２５〜ＰＭ７：００に放送される番組Ｂとを録画予約する場合、番組Ａと番組ＢとはＰＭ６：２５〜ＰＭ６：３０の５分間で重複するため、両番組を録画時刻どおりに録画することはできない。
【０００４】
そのため、録画時刻が重複する番組が発生した場合に、ユーザーに録画時刻を調整するよう促す発明が開示されている（例えば、特許文献１−５参照。）。
【先行技術文献】
【特許文献】
【０００５】
【特許文献１】特開平０６−０６０４７５号公報
【特許文献２】特開２００３−１５７５８６号公報
【特許文献３】特開平０９−１８０２９２号公報
【特許文献４】特開２０００−２９５５５４号公報
【特許文献５】特開平０９−１６３２８７号公報
【発明の概要】
【発明が解決しようとする課題】
【０００６】
録画時刻が重複する番組が存在した場合、従来の発明では、画面上で重複する番組を確認したユーザーが再度録画時刻を任意に調整する必要があった。そのため、ユーザーは一度設定した録画時刻を経験等にもとづいて再度設定し直す必要があり、操作負荷が高かった。
【０００７】
本発明は、上記課題にかんがみてなされたもので、録画時刻が重複する番組が発生した場合でも、ユーザーの操作負荷を軽減することが可能な録画装置の提供を目的とする。
【課題を解決するための手段】
【０００８】
上記課題を解決するために、本発明では、番組の録画予約を受け付け、録画を実行する録画装置において、番組の録画予約を受け付ける録画予約受付手段と、前記受け付けた録画予約において、録画時刻が少しでも重複する番組が存在する場合は、前記重複する旨を示す画面を表示し、番組の録画時刻の調整を受け付ける録画時刻調整手段と、前記録画時刻が重複する番組にかかる情報、及びこの番組の調整後の録画時刻を登録する番組登録手段と、前記登録された番組の次回録画予約時において、上記調整された録画時刻をもとに録画予約を設定する録画時刻設定手段と、を有する構成としてある。
【０００９】
上記のように構成された発明においては、録画予約受付手段が受け付けた番組の録画予約において、録画時刻が少しでも重複する番組が存在する場合は、録画時刻調整手段は、その旨を画面上に表示しユーザーからこの番組の録画時刻の調整を受け付ける。そして、番組登録手段は、前記録画時刻が重複する番組にかかる情報、及びこの番組の調整後の録画時刻を登録しておき、登録された番組の次回録画予約時において、録画時刻設定手段は、調整された録画時刻をもとにこの番組の録画予約を設定する。
【００１０】
そのため、重複する番組においては次回以降の録画予約において、時刻調整を行う必要がないため、ユーザーの操作負荷を軽減することができる。
【００１１】
また、録画予約受付手段の具体的な構成の一例として、前記録画予約受付手段は、画面上に表示された電子番組表により録画予約対象の番組を受け付ける構成としてもよい。
上記のように構成された発明では、ユーザーが電子番組表において、録画対象とする番組名のみを参照して、放送時刻をあまり確認しない録画予約方法において、録画時刻が重複する番組が存在しても重複を解消することができるため、本発明をより効果的に適用することが可能となる。
【００１２】
また、番組登録手段が登録を行う番組の一例として、前記番組登録手段は、前記登録された番組が所定期間放送されるシリーズ番組である場合に、登録を行う構成としてもよい。
所定間隔で放送されるシリーズ番組では、番組が放送される曜日や放送時刻が固定されている場合が多い。そのため、上記のように構成された発明においては、一度設定した録画予約をその後の放送回に流用することが可能となるため、本発明をより効果的に適用することが可能となる。
【００１３】
そして、前記番組登録手段は、前記シリーズ番組の最終話が録画されたら前記登録を消去する構成としてもよい。
【００１４】
さらに、前記重複する番組が供にシリーズ番組である場合は、前記番組登録手段は、放送期間の短い方の番組の放送期間を登録する構成としてもよい。
重複する番組が供にシリーズ番組である場合、どちらかの番組の放送が終了すれば時間の重複は解消する。そのため、上記のように構成された発明では、登録するデーター量を減らすことでメモリー等の記憶容量を有効に活用することができる。
【００１５】
そして、本発明の他の局面として、前記録画予約受付手段は、画面上に表示された電子番組表により録画予約対象の番組を受け付け、前記番組登録手段は、前記登録された番組が所定期間放送されるシリーズ番組である場合に、登録を行い、前記重複する番組が供にシリーズ番組である場合は、前記番組登録手段は、放送期間の短い方の番組の放送期間を登録し、前記シリーズ番組の最終話が録画されたら前記登録を消去する構成としてもよい。
【発明の効果】
【００１６】
以上説明したように本発明によれば、重複する番組においては次回以降の録画予約において、時刻調整を行う必要がないため、ユーザーの操作負荷を軽減することができる。
また請求項２にかかる発明によれば、本発明をより効果的に適用することが可能となる。
そして本発明によれば、登録するデーター量を減らすことでメモリー等の記憶容量を有効に活用することができる。
【図面の簡単な説明】
【００１７】
【図１】録画装置１００の構成を示すブロック図である。
【図２】電子番組表を説明するための図である。
【図３】録画装置１００が実行する初回の録画予約の流れを説明するフローチャートである。
【図４】画面上に表示される重複時間表示画面を示す図である。
【図５】画面上に表示される重複時間表示画面を示す図である。
【図６】録画装置１００が実行する二度目以降の録画予約の流れを説明するフローチャートである。
【図７】第２の実施形態にかかる、録画装置１００が実行する二度目以降の録画予約の流れを説明するフローチャートである。
【発明を実施するための形態】
【００１８】
以下、図を参照しつつ下記の順序に従って本発明の実施形態を説明する。
１．第１の実施形態：
２．第２の実施形態：
３．その他の実施形態：
【００１９】
１．第１の実施形態：
以下、図を参照して、この発明に係る録画装置１００を具体化した第１の実施形態について説明する。図１は、録画装置の構成を示すブロック図である。なお、第１の実施形態では、録画装置は、その内部に録画再生部（録画手段）を備えるテレビジョン受像機として構成されている。
【００２０】
録画装置１００は、リモコン装置７０を介した操作を受け付けて番組を放送する他、メニュー画面上でリモコン装置７０等を用いた操作入力を受け付けることで、この操作入力により録画対象とされた番組のデーターを録画再生部８０に録画することができる。以下、本実施形態にかかる録画装置１００の構成を説明する。
【００２１】
＝＝＝録画装置の構成＝＝＝
録画装置１００は以下の要部を備えて構成されている。符号９１は、外部メモリーであり、後述する電子番組表やＩＤデーターを記憶する。符号９２は、制御部であり、録画装置１００の駆動を制御する。符号９３は、フロントエンド部であり、図示しないアンテナが受信した放送電波からリモコン装置７０により選局されたチャンネルのデジタルデーターを抽出する。符号９４は、バックエンド部であり、取得されたデジタルデーターから映像信号及び音声信号を復号化し、出力する。符号９５は、ディスプレイであり、復号された映像信号をもとに映像を出力する。符号９６は、スピーカーであり、復号された音声信号をもとに音声を出力する。符号９７は、ＯＳＤ回路であり、バックエンド部９４から出力される映像信号にＯＳＤ画像を合成する。符号９８は、リモコン受信部であり、リモコン装置７０から出力される赤外線信号を受信し、制御部９２に制御コマンドを出力する。符号８０は、録画再生部であり、制御部９２からの制御信号に応じて番組の録画／再生を行う。
【００２２】
制御部９２は、リモコン受信部９８を介して入力される制御コマンド、及び所定のプログラムを実行することにより、録画装置１００の駆動を制御する。なお、制御部９２は、図示しないＣＰＵや、ＣＰＵを駆動させるためのプログラムやデーターが記憶されたＲＯＭ、及びＣＰＵのワークエリアとして作用するＲＡＭを備えて構成されている。また、制御部９２は内部に計時手段として機能するタイマーを備えており、このタイマーにより録画時刻の確認を行う。なお、制御部９２と録画装置１００とを構成する各部はバスを介して接続されており、このバスを介して制御が行われる。
【００２３】
フロントエンド部９３は、各種アンテナが受信した放送電波からリモコン装置７０により選局されたチャンネルの変調信号を抽出する選局部や、選局された変調信号からデジタルデーターを抽出する伝送路復号部を備えて構成されている。本実施形態では、フロントエンド部９３は、デジタル放送を受信する構成として説明を行う。
【００２４】
バックエンド部９４は、取得されたデジタルデーターのスクランブルを解除するデスクランブル部９４ａや、スクランブルを解除されたデジタルデーターからＭＰＥＧ形式の映像・音声信号、及びＴＳ情報を取り出すＭＰＥＧ多重分離部９４ｂ、ＴＳ情報の中のＳＩ情報を処理する基本デコーダー部９４ｃ、更には、映像・音声信号を復号する映像・音声復号部（図示しない）を備えて構成されている。ここで、ＳＩ情報には、番組情報を特定するためのＥＩＴ情報が含まれており、基本デコーダー部９４ｃは、ＥＩＴ情報を用いて電子番組表を作成する。
【００２５】
また、上記ＳＩ情報には、番組の特徴を特定するためのシリーズ記述子が含まれている。シリーズ記述子とは、所定のアプリケーションにより番組を関連付けて扱うためのデーターである。その一例として、本実施形態では、シリーズ記述子として「series_id」、「expire_date」を使用する。「series_id」は同一のメディアを特定するデーターであり、この番組がシリーズ番組であるか否かを特定することができる。ここで、「シリーズ番組」とは、ある放送期間において所定時刻に放送される番組を意味する。また、「expire_date」はシリーズ番組が放送される期限を示すデーターである。
【００２６】
録画再生部８０は、例えば、ＢＤ（ブルーレイディスク）やＤＶＤ等のメディア、又はＨＤＤに記憶されたデーターをピックアップ部により読取り、インターフェースを通じてバックエンド部９４に送信する。また、録画再生部８０がバックエンド部９４から出力されるデーターをインターフェースを通じて受信した場合は、取得したデーターをピックアップ部を用いてメディア又はＨＤＤに記憶させる。なお、録画再生部８０は、図示しないシステムコントローラーを内部に備え、制御部９２からの制御コマンドによりその駆動を制御する。
【００２７】
外部メモリー９１は、番組データーに付加されて送信されたＳＩ情報、及びこのＳＩ情報により作成された電子番組表を記憶している。図２は、電子番組表を説明するための図である。図２に示す電子番組表では、例えば、横軸を各チャンネル軸とし、縦軸を時間軸として、一週間分の放送予定の番組が特定できるよう記録されている。また、この番組表に記録される各番組は上記したシリーズ記述子が対応付けて記録されている。さらに、録画装置１００は、ユーザーがこの電子番組表に記録された番組をアイコンで選択することによりこの番組の録画予約を実行することができる。
【００２８】
ＯＳＤ回路９７は、制御部９２から出力される映像データーにＯＳＤ画像を合成して出力させる。ＯＳＤ回路９７が出力させるＯＳＤ画像としては、録画装置１００の各種設定を選択するためのＧＵＩ（Graphical User Interface）であるメニュー画面、及び再放送番組の検索にかかる各種画面が含まれる。なお、ＯＳＤ回路９７が出力するＯＳＤ画像は予め内部メモリーに記憶されたものであり制御コマンドに応じて出力されるＯＳＤ画像が決定される。
【００２９】
上記構成により、録画装置１００は、録画予約が入力されると、この録画予約に従って番組の録画を実行する。このとき、放送時刻が重複する複数の番組を録画予約する場合、録画装置１００は、ユーザーが事前に行った録画予約を参照して以後の録画予約を自動で設定する。即ち、放送時刻が重複する番組を録画予約する際にユーザーが一方の録画時刻を調整すると、録画装置１００は、以後の録画予約において調整後の録画時刻をもとに録画予約を設定する。そのため、ユーザーが重複する番組の録画予約を入力する際、面倒な時刻入力を行う必要がないため、ユーザーの操作負荷を低減することが可能となる。
【００３０】
＝＝＝録画装置１００を用いた録画予約の流れ＝＝＝
図３は、録画装置１００が実行する初回の録画予約の流れを説明するフローチャートである。以下、図を参照しつつ本実施形態にかかる録画装置１００の処理を説明する。なお、図３に示すフローでは、便宜上、重複する２つの番組を録画予約する場合を例に説明を行うが、予約する番組の数はこれに限定されない。
【００３１】
ユーザーがＯＳＤ回路９７により画面に表示された電子番組表に記録された番組Ａ及び番組Ｂを選択して録画予約を行うと、ステップＳ１において、制御部９２はこの録画予約の入力を受け付ける。例えば、電子番組表において、番組Ａは、チャンネル１、ＰＭ１０：００〜ＰＭ１１：００の時間帯で放送される番組として記録され、番組Ｂは、チャンネル５、ＰＭ１０：５５〜ＰＭ１１：５５の時間帯で放送される番組として記録されているとする（図２）。そのため、ステップＳ１の処理により制御部９２は、本発明にかかる録画予約受付手段を実現する。 
【００３２】
ステップＳ２において、制御部９２は、ステップＳ１で受け付けた録画予約にかかる番組の録画時刻を比較する。即ち、制御部９２は電子番組表で選択された番組Ａ及び番組Ｂの録画時刻を比較する。
【００３３】
録画予約が重複する場合は（ステップＳ３：ＹＥＳ）、制御部９２はＯＳＤ回路９７に重複時間表示画面を表示させる（ステップＳ４）。図４及び図５は、画面上に表示される重複時間表示画面を示す図である。この重複時間表示画面では、録画対象番組の録画時刻が重複していることを表示するとともに（図４）、ユーザーにアイコンを操作していずれかの番組の録画時刻を変更させることができる（図５）。上記例において、番組Ａと番組ＢとはＰＭ１０：５５〜ＰＭ１１：００の５分間において重複するため、制御部９２はＯＳＤ回路９７に重複時間表示画面を表示させる。
【００３４】
ユーザーが重複時間表示画面のアイコンを操作して録画時刻を変更すると（ステップＳ５：ＹＥＳ）、ステップＳ６において、制御部９２は、変更後の録画時刻により録画予約を更新する。例えば、ユーザーが重複時間表示画面を通じて番組Ｂの録画時刻をＰＭ１１：００〜ＰＭ１１：５５に変更したとして以後の説明を行う。ステップＳ２〜Ｓ５の処理により、制御部９２は本発明の録画時刻調整手段を実現する。
【００３５】
一方、ユーザーが録画時刻を変更しない場合は（ステップＳ５：ＮＯ）、制御部９２は、番組の放送順序に従って番組を録画する（ステップＳ７、Ｓ１０）。そのため、番組Ａが録画時刻であるＰＭ１１：００まで録画された後、番組Ｂの録画が開始される。
【００３６】
録画予約された番組がシリーズ番組である場合は（ステップＳ８：ＹＥＳ）、制御部９２は変更後の録画時刻を含む番組情報を登録する（ステップＳ９）。即ち、制御部９２は、番組にかかるシリーズ記述子（「series_id」）を参照して番組がシリーズ番組であるか否かを判断する。そして、番組Ａ及び番組Ｂが供にシリーズ番組である場合は、制御部９２は、番組Ａ及び番組Ｂの「番組名」、「シリーズ名」、「録画時刻」、「放送期限」をＳＩ情報を参照して外部メモリー９１に記憶する。このとき、制御部９２は内部メモリー９１を有効利用するため、「放送期限」の内、短い方の放送期限のみを記憶しておく。なお、「放送期限」はシリーズ記述子の「expire_date」をもとに判断する。そのため、ステップＳ８，９の処理により制御部９２は本発明にかかる番組登録手段を実現する。
【００３７】
以後、設定された録画時刻に達した場合は、ステップＳ１０において、制御部９２は番組の録画を開始する。そのため、制御部９２は、バックエンド部９４から出力される番組Ａ及び番組Ｂにかかる映像データーを録画再生部８０に録画させる。
【００３８】
図６は、録画装置１００が実行する二度目以降の録画予約の流れを説明するフローチャートである。図６に示すフローチャートは、二度目以降の録画予約において実行される処理である。
【００３９】
ステップＳ１１において、制御部９２は、ユーザーが電子番組表を用いて行った番組Ａ及び番組Ｂの録画予約を受け付ける。
【００４０】
ステップＳ１２において、受け付けた番組が図３のステップＳ９で登録された番組である場合は（ステップＳ１２：ＹＥＳ）、制御部９２は登録された録画時刻をもとに番組Ａ及び番組Ｂの録画予約を行う（ステップＳ１３）。このとき、制御部９２は、ステップＳ９で登録した番組Ａ及び番組Ｂの「番組名」、「録画時刻」とユーザーが電子番組表で選択した番組の「番組名」、「録画時刻」を比較し、同一のシリーズ番組か否かを判断する。一方、登録された番組でなければ（ステップＳ１２：ＮＯ）、初めて録画する番組であるため、図３のフローに進む。
【００４１】
ステップＳ１４において、登録された録画時刻に達した場合は、制御部９２は番組を録画する。このとき、番組Ａは、録画時刻であるＰＭ１０：００〜ＰＭ１１：００の間で録画され、番組Ｂは変更後の録画時刻であるＰＭ１１：００〜ＰＭ１１：５５の間で録画される。
【００４２】
そして、ステップＳ１５において、録画された番組が最終回である場合は、制御部９２は、ステップＳ９で登録したこの番組にかかる情報を消去する（ステップＳ１６）。即ち、制御部９２はステップＳ９で登録された「放送期限」を参照し、録画時間がこの「放送期限」と一致している場合は、番組が最終回であるとみなす。そのため、ステップＳ１１〜Ｓ１６の処理により制御部９２は本発明にかかる録画時刻設定手段を実現する。
【００４３】
以上説明したように、一度目に行った録画予約の入力を流用して、放送時間が重複する複数の番組を録画予約するため、ユーザーが一方の録画時刻を調整すると、録画装置１００は、以後の録画予約において調整後の録画時刻をもとに録画予約を設定する。そのため、ユーザーが重複する番組の録画予約を入力する際、面倒な時刻入力を行う必要がないため、ユーザーの操作負荷を低減することが可能となる。以上、第１の実施形態を説明した。
【００４４】
２．第２の実施形態：
番組の中には、２度目以降の放送において放送時刻が変更される場合も想定される。そのため、第２の実施形態では、２度目以降の番組予約において番組の放送時刻が変更された場合の処理を説明する。図７は、第２の実施形態にかかる、録画装置１００が実行する二度目以降の録画予約の流れを説明するフローチャートである。以下、第２の実施形態では、図７に示す処理以外は、第１の実施形態と同等であるため、説明を省略する。
【００４５】
ステップＳ２１において、制御部９２は、電子番組表を用いたユーザーからの番組Ａ及び番組Ｂの録画予約を受け付ける。また、ステップＳ２２において、受け付けた番組が図３のステップＳ９で登録された番組である場合は（ステップＳ２２：ＹＥＳ）、ステップＳ２３において、制御部９２は電子番組表を参照して放送時刻が同一か否かを判断する。
【００４６】
放送時刻が変更されていない場合は（ステップＳ２３：ＹＥＳ）、制御部９２は登録された録画時刻をもとに番組Ａ及び番組Ｂの録画予約を行う（ステップＳ２４）。さらに、ステップＳ２５において、登録された時刻に達した場合は、制御部９２は番組を録画する。そして、ステップＳ２６において、録画された番組が最終回である場合は、制御部９２は、ステップＳ９で登録したこの番組にかかる情報を消去する（ステップＳ２７）。
【００４７】
一方、放送時刻が変更されており（ステップＳ２３：ＮＯ）、番組Ａと番組Ｂの録画時刻が重複する場合は（ステップＳ２８：ＹＥＳ）、制御部９２は図４に示す重複時間表示画面を表示して、ユーザーに録画時刻の変更を促す（ステップＳ２９、Ｓ３０、Ｓ３１）。即ち、番組Ａの放送時刻がＰＭ１０：００〜ＰＭ１１：００からＰＭ１０：００〜ＰＭ１１：１０に変更されている場合は、番組Ｂの変更後の録画時刻であるＰＭ：１１：００〜ＰＭ１１：５５と重複する時間が存在する。そのため、制御部９２は重複時間表示画面を表示させ、ユーザーに対して録画時刻の変更を促す。なお、以後の録画予約において、再度放送時間が戻っている場合は、ステップＳ９で登録した録画時刻を用いて録画を行うものであってもよい。
【００４８】
その後、ユーザーが録画時刻を変更した場合は（ステップＳ３０：ＹＥＳ）、制御部９２は、変更後の録画時刻により録画予約を設定し（ステップＳ３１）、録画時刻に達すると録画を実行する（ステップＳ２５）。一方、ユーザーが録画時刻を変更しない場合は（ステップＳ３０：ＮＯ）、制御部９２は番組Ａの録画を優先する（ステップＳ３２、Ｓ２５）。
【００４９】
また、放送時刻が変更されており（ステップＳ２３：ＮＯ）、番組Ａと番組Ｂの録画時刻が重複しない場合は（ステップＳ２８：ＮＯ）、制御部９２は、更新後の放送時刻を用いて録画予約を行う（ステップＳ３２）。即ち、番組Ａの放送時刻がＰＭ１０：００〜ＰＭ１１：００からＰＭ９：３０〜ＰＭ１１：００に変更されている場合は、番組Ｂの放送時刻であるＰＭ：１０：５５〜ＰＭ１１：５５と放送時間が重複しない。そのため、電子番組表に記録された放送時刻に従って番組が録画される（ステップＳ２５）。以上、第２の実施形態を説明した。
【００５０】
３．その他の実施形態：
本発明は様々な変形例が存在する。
シリーズ番組において同一週に複数回の放送が行われる場合に、各曜日毎に変更後の録画時間を設定する構成としてもよい。例えば、放送される曜日によって重複する番組も異なり、重複する録画時刻も異なる。そのため、録画装置１００は、番組が放送される曜日毎に変更後の録画時刻を登録しておき、録画予約が行われる曜日に合わせて対応する録画時刻を設定する構成としてもよい。
【００５１】
録画装置の構成としては、テレビジョン受像機のみを構成要素とするものに限定されず、テレビジョン受像機と録画機能を備えるメディアプレーヤーとを接続したシステムであってもよい。また、録画機能を備えるメディアプレーヤーのみを構成要素としてもよい。
【００５２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００５３】
７０…リモコン装置、８０…録画再生部、９１…外部メモリー、９２…制御部、９３…フロントエンド部、９４…バックエンド部、９４ａ…デスクランブル部、９４ｂ…ＭＰＥＧ多重分離部、９４ｃ…基本デコーダー部、９５…ディスプレイ、９６…スピーカー、９７…ＯＳＤ回路、９８…リモコン受信部、１００…録画装置
【図１】
0005577689.tif 000002
【図２】
0005577689.tif 000003
【図３】
0005577689.tif 000004
【図４】
0005577689.tif 000005
【図５】
0005577689.tif 000006
【図６】
0005577689.tif 000007
【図７】
0005577689.tif 000008